【手続補正書】
【提出日】平成27年9月3日(2015.9.3)
【手続補正１】
【補正対象書類名】特許請求の範囲
【補正対象項目名】全文
【補正方法】変更
【補正の内容】
【特許請求の範囲】
【請求項１】
第１および第２のアンテナから送信されたダウンリンク送信を受信することと、
前記ダウンリンク送信に関するチャネル状態情報、ＣＳＩ フィードバックを生成することと、
前記ＣＳＩフィードバックを基地局に送ることと
を備え、
前記ＣＳＩフィードバックは、前記第１および第２のアンテナ間の時間オフセットが補償されているか否かに基づいて調整される、ワイヤレス通信の方法。
【請求項２】
前記基地局が前記第１および第２のアンテナ間の前記時間オフセットを補償しているか否かの仮定に関する情報を受信することをさらに含む、請求項１に記載の方法。
【請求項３】
前記ＣＳＩフィードバックを前記生成することは、前記基地局が、ユーザ機器固有基準信号、ＵＥ−ＲＳ の送信時間を変更することによって前記時間オフセットを補償しているという前記仮定に基づく、請求項２に記載の方法。
【請求項４】
前記ＣＳＩフィードバックを前記生成することは、前記基地局が、プリコーダ位相回転を適用することによって前記時間オフセットを補償しているという前記仮定に基づく、請求項２に記載の方法。
【請求項５】
第１および第２のアンテナから送信されたダウンリンク送信を受信するための手段と、
前記ダウンリンク送信に関するチャネル状態情報、ＣＳＩ フィードバックを生成するための手段と、
前記ＣＳＩフィードバックを基地局に送るための手段と
を備え、
前記ＣＳＩフィードバックは、前記第１および第２のアンテナ間の時間オフセットが補償されているか否かに基づいて調整される、ワイヤレス通信のための装置。
【請求項６】
前記基地局が前記第１および第２のアンテナ間の前記時間オフセットを補償しているか否かの仮定に関する情報を受信するための手段をさらに含む、請求項５に記載の装置。
【請求項７】
生成するための前記手段は、前記基地局が、ユーザ機器固有基準信号、ＵＥ−ＲＳ の送信時間を変更することによって前記時間オフセットを補償しているという前記仮定に基づいて前記ＣＳＩフィードバックを生成するための手段を含む、請求項６に記載の装置。
【請求項８】
生成するための前記手段は、前記基地局が、プリコーダ位相回転を適用することによって前記時間オフセットを補償しているという前記仮定に基づいて前記ＣＳＩフィードバックを生成するための手段を含む、請求項７に記載の装置。
【請求項９】
少なくとも１つのプロセッサと、
前記少なくとも１つのプロセッサに結合されたメモリと
を備える、ワイヤレス通信のために構成された装置であって、前記少なくとも１つのプロセッサが、
第１および第２のアンテナから送信されたダウンリンク送信を受信することと、
前記ダウンリンク送信に関するチャネル状態情報、ＣＳＩ フィードバックを生成することと、
前記ＣＳＩフィードバックを基地局に送ることと
を行うように構成され、
前記ＣＳＩフィードバックは、前記第１および第２のアンテナ間の時間オフセットが補償されているか否かに基づいて調整される、ワイヤレス通信のために構成された装置。
【請求項１０】
前記少なくとも１つのプロセッサは、前記基地局が前記第１および第２のアンテナ間の前記時間オフセットを補償しているか否かの仮定に関する情報を受信するようにさらに構成された、請求項９に記載の装置。
【請求項１１】
前記少なくとも１つのプロセッサは、前記基地局が、ユーザ機器固有基準信号、ＵＥ−ＲＳ の送信時間を変更することによって前記時間オフセットを補償しているという前記仮定に基づいて前記ＣＳＩフィードバックを生成するように構成された、請求項１０に記載の装置。
【請求項１２】
前記少なくとも１つのプロセッサは、前記基地局が、プリコーダ位相回転を適用することによって前記時間オフセットを補償しているという前記仮定に基づいて前記ＣＳＩフィードバックを生成するように構成された、請求項１０に記載の装置。
【請求項１３】
請求項１−４のうちの１つの方法の全てのステップを実行することをコンピュータで実行可能なプログラム命令を備える、
コンピュータプログラム。
【手続補正２】
【補正対象書類名】明細書
【補正対象項目名】００８５
【補正方法】変更
【補正の内容】
【００８５】
[0096]  本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
[Ｃ１]
第１および第２のアンテナからそれぞれ送信された第１および第２の信号を受信することと、
前記第１および第２の信号に基づいて前記第１および第２のアンテナ間の時間オフセットを決定することと、
前記第１および第２のアンテナ間の前記時間オフセットに関する情報を報告することであって、前記報告することが、所定のしきい値を上回るか、または下回るとして前記時間オフセットを報告することを含む、報告することと
を備える、ワイヤレス通信の方法。
[Ｃ２]
前記第１および第２のアンテナが単一の送信ポイントに地理的にコロケートされた、Ｃ１に記載の方法。
[Ｃ３]
複数のアンテナのうちのいずれに前記時間オフセットを報告すべきかに関する情報を受信することをさらに含み、前記複数のアンテナが基地局に関連付けられている、Ｃ２に記載の方法。
[Ｃ４]
前記第１および第２のアンテナが、地理的に分離され、異なる送信ポイントに関連付けられている、Ｃ１に記載の方法。
[Ｃ５]
複数の送信ポイントのうちのいずれに前記時間オフセットを報告すべきかに関する情報を受信することをさらに含み、前記複数の送信ポイントが複数の基地局に関連付けられている、Ｃ４に記載の方法。
[Ｃ６]
前記報告することが、量子化時間オフセット値として前記時間オフセットを報告することを含む、Ｃ１に記載の方法。
[Ｃ７]
前記報告することが、所定の範囲内にあるか、またはその外側にあるとして前記時間オフセットを報告することを含む、Ｃ１に記載の方法。
[Ｃ８]
前記所定のしきい値は、ｅＮＢがＣｏＭＰ送信を無効にするようにあらかじめ決定されている、Ｃ１に記載の方法。
[Ｃ９]
前記報告することは、前記時間オフセットが前記所定のしきい値を上回る場合にビットフラグをセットすることをさらに含む、Ｃ１に記載の方法。
[Ｃ１０]
前記報告することは、周期または非周期のチャネル状態情報（ＣＳＩ）フィードバック報告方式の一部として前記時間オフセットを報告することを含む、Ｃ１に記載の方法。
[Ｃ１１]
前記報告することが、基準信号受信電力（ＲＳＲＰ）報告の一部として前記時間オフセットを報告することを含む、Ｃ１に記載の方法。
[Ｃ１２]
前記報告することが、他のフィードバック報告とは別個の報告として前記時間オフセットを報告することを含む、Ｃ１に記載の方法。
[Ｃ１３]
前記時間オフセットを前記決定することが、共通基準信号（ＣＲＳ）と、チャネル状態情報基準信号（ＣＳＩ−ＲＳ）と、ユーザ機器固有基準信号（ＵＥ−ＲＳ）とのうちの１つに基づいて前記時間オフセットを決定することを含む、Ｃ１に記載の方法。
[Ｃ１４]
第１および第２のアンテナから送信されたダウンリンク送信を受信することと、
前記ダウンリンク送信に関するチャネル状態情報（ＣＳＩ）フィードバックを生成することと、
前記ＣＳＩフィードバックを基地局に送ることと
を備え、
前記ＣＳＩフィードバックは、前記第１および第２のアンテナ間の時間オフセットが補償されているか否かに基づいて調整される、ワイヤレス通信の方法。
[Ｃ１５]
前記基地局が前記第１および第２のアンテナ間の前記時間オフセットを補償しているか否かの仮定に関する情報を受信することをさらに含む、Ｃ１４に記載の方法。
[Ｃ１６]
前記ＣＳＩフィードバックを前記生成することは、前記基地局が、ユーザ機器固有基準信号（ＵＥ−ＲＳ）の送信時間を変更することによって前記時間オフセットを補償しているという前記仮定に基づく、Ｃ１５に記載の方法。
[Ｃ１７]
前記ＣＳＩフィードバックを前記生成することは、前記基地局が、プリコーダ位相回転を適用することによって前記時間オフセットを補償しているという前記仮定に基づく、Ｃ１５に記載の方法。
[Ｃ１８]
第１および第２のアンテナからそれぞれ送信された第１および第２の信号を受信するための手段と、
前記第１および第２の信号に基づいて前記第１および第２のアンテナ間の時間オフセットを決定するための手段と、
前記第１および第２のアンテナ間の前記時間オフセットに関する情報を報告するための手段であって、前記報告することが、所定のしきい値を上回るか、または下回るとして前記時間オフセットを報告することを含む、報告するための手段と
を備える、ワイヤレス通信のための装置。
[Ｃ１９]
前記第１および第２のアンテナが単一の送信ポイントに地理的にコロケートされた、Ｃ１８に記載の装置。
[Ｃ２０]
前記第１および第２のアンテナが、地理的に分離され、異なる送信ポイントに関連付けられた、Ｃ１９に記載の装置。
[Ｃ２１]
前記報告することが、
量子化時間オフセット値として前記時間オフセットを報告することと、
所定の範囲内にあるか、またはその外側にあるとして前記時間オフセットを報告することと、
周期または非周期チャネル状態情報（ＣＳＩ）フィードバック報告方式の一部として前記時間オフセットを報告することと
のうちの１つを含み、
報告することが、基準信号受信電力（ＲＳＲＰ）報告の一部として前記時間オフセットを報告することと、
他のフィードバック報告とは別個の報告として前記時間オフセットを報告することとを含む、Ｃ１９に記載の装置。
[Ｃ２２]
第１および第２のアンテナから送信されたダウンリンク送信を受信するための手段と、
前記ダウンリンク送信に関するチャネル状態情報（ＣＳＩ）フィードバックを生成するための手段と、
前記ＣＳＩフィードバックを基地局に送るための手段と
を備え、
前記ＣＳＩフィードバックは、前記第１および第２のアンテナ間の時間オフセットが補償されているか否かに基づいて調整される、ワイヤレス通信のための装置。
[Ｃ２３]
前記基地局が前記第１および第２のアンテナ間の前記時間オフセットを補償しているか否かの仮定に関する情報を受信するための手段をさらに含む、Ｃ２２に記載の装置。
[Ｃ２４]
生成するための前記手段は、前記基地局が、ユーザ機器固有基準信号（ＵＥ−ＲＳ）の送信時間を変更することによって前記時間オフセットを補償しているという前記仮定に基づいて前記ＣＳＩフィードバックを生成するための手段を含む、Ｃ２３に記載の装置。
[Ｃ２５]
生成するための前記手段は、前記基地局が、プリコーダ位相回転を適用することによって前記時間オフセットを補償しているという前記仮定に基づいて前記ＣＳＩフィードバックを生成するための手段を含む、Ｃ２３に記載の装置。
[Ｃ２６]
プログラムコードを記録した非一時的コンピュータ可読媒体を備える、ワイヤレス通信のためのコンピュータプログラム製品であって、前記プログラムコードは、
第１および第２のアンテナからそれぞれ送信された第１および第２の信号を受信するためのプログラムコードと、
前記第１および第２の信号に基づいて前記第１および第２のアンテナ間の時間オフセットを決定するためのプログラムコードと、
前記第１および第２のアンテナ間の前記時間オフセットに関する情報を報告するためのプログラムコードであって、前記情報が、前記時間オフセットを所定のしきい値を上回るか、または下回ると見なす情報を含む、報告するためのプログラムコードと
を備える、ワイヤレス通信のためのコンピュータプログラム製品。
[Ｃ２７]
前記第１および第２のアンテナが単一の送信ポイントに地理的にコロケートされた、Ｃ２６に記載のコンピュータプログラム製品。
[Ｃ２８]
前記第１および第２のアンテナが、地理的に分離され、異なる送信ポイントに関連付けられた、Ｃ２６に記載のコンピュータプログラム製品。
[Ｃ２９]
プログラムコードを記録した非一時的コンピュータ可読媒体を備える、ワイヤレス通信のためのコンピュータプログラム製品であって、前記プログラムコードが、
第１および第２のアンテナから送信されたダウンリンク送信を受信するためのプログラムコードと、
前記ダウンリンク送信に関するチャネル状態情報（ＣＳＩ）フィードバックを生成するためのプログラムコードと、
前記ＣＳＩフィードバックを基地局に送るためのプログラムコードと
を備え、
前記ＣＳＩフィードバックは、前記第１および第２のアンテナ間の時間オフセットが補償されているか否かに基づいて調整される、ワイヤレス通信のためのコンピュータプログラム製品。
[Ｃ３０]
前記コンピュータ可読媒体は、前記基地局が前記第１および第２のアンテナ間の前記時間オフセットを補償しているか否かの仮定に関する情報を受信するためのプログラムコードをさらに含む、Ｃ２９に記載のコンピュータプログラム製品。
[Ｃ３１]
生成するための前記プログラムコードは、前記基地局が、ユーザ機器固有基準信号（ＵＥ−ＲＳ）の送信時間を変更することによって前記時間オフセットを補償しているという前記仮定に基づいて前記ＣＳＩフィードバックを生成するためのプログラムコードを含む、Ｃ３０に記載のコンピュータプログラム製品。
[Ｃ３２]
生成するための前記プログラムコードは、前記基地局が、プリコーダ位相回転を適用することによって前記時間オフセットを補償しているという前記仮定に基づいて前記ＣＳＩフィードバックを生成するためのプログラムコードを含む、Ｃ３０に記載のコンピュータプログラム製品。
[Ｃ３３]
少なくとも１つのプロセッサと、
前記少なくとも１つのプロセッサに結合されたメモリと
を備える、ワイヤレス通信のために構成された装置であって、前記少なくとも１つのプロセッサが、
第１および第２のアンテナからそれぞれ送信された第１および第２の信号を受信することと、
前記第１および第２の信号に基づいて前記第１および第２のアンテナ間の時間オフセットを決定することと、
前記第１および第２のアンテナ間の前記時間オフセットに関する情報を報告することであって、前記情報が、前記時間オフセットを所定のしきい値を上回るか、または下回ると見なす情報を含む、報告することと
を行うように構成された、ワイヤレス通信のために構成された装置。
[Ｃ３４]
前記第１および第２のアンテナが単一の送信ポイントに地理的にコロケートされた、Ｃ３３に記載の装置。
[Ｃ３５]
前記第１および第２のアンテナが、地理的に分離され、異なる送信ポイントに関連付けられている、Ｃ３３に記載の装置。
[Ｃ３６]
少なくとも１つのプロセッサと、
前記少なくとも１つのプロセッサに結合されたメモリと
を備える、ワイヤレス通信のために構成された装置であって、前記少なくとも１つのプロセッサが、
第１および第２のアンテナから送信されたダウンリンク送信を受信することと、
前記ダウンリンク送信に関するチャネル状態情報（ＣＳＩ）フィードバックを生成することと、
前記ＣＳＩフィードバックを基地局に送ることと
を行うように構成され、
前記ＣＳＩフィードバックは、前記第１および第２のアンテナ間の時間オフセットが補償されているか否かに基づいて調整される、ワイヤレス通信のために構成された装置。
[Ｃ３７]
前記少なくとも１つのプロセッサは、前記基地局が前記第１および第２のアンテナ間の前記時間オフセットを補償しているか否かの仮定に関する情報を受信するようにさらに構成された、Ｃ３６に記載の装置。
[Ｃ３８]
前記少なくとも１つのプロセッサは、前記基地局が、ユーザ機器固有基準信号（ＵＥ−ＲＳ）の送信時間を変更することによって前記時間オフセットを補償しているという前記仮定に基づいて前記ＣＳＩフィードバックを生成するように構成された、Ｃ３７に記載の装置。
[Ｃ３９]
前記少なくとも１つのプロセッサは、前記基地局が、プリコーダ位相回転を適用することによって前記時間オフセットを補償しているという前記仮定に基づいて前記ＣＳＩフィードバックを生成するように構成された、Ｃ３７に記載の装置。
[Ｃ４０]
複数の送信アンテナ間の時間オフセットに関する情報を受信することであって、前記情報が、前記時間オフセットを所定のしきい値を上回るか、または下回ると見なす情報を含む、受信することと、
前記時間オフセットを考慮するように送信を適応させることと
を備える、ワイヤレス通信のための方法。
[Ｃ４１]
前記適応させることが送信機においてプリコーダ位相回転を適用することを含む、Ｃ４０に記載の方法。
[Ｃ４２]
前記適応させることが、ＵＥごとにユーザ機器固有基準信号（ＵＥ−ＲＳ）のタイミングを調節することを含む、Ｃ４０に記載の方法。
[Ｃ４３]
前記受信することが、複数のＵＥから複数の時間オフセット報告を受信することを含み、
前記適応させることが、前記複数の時間オフセット報告に基づいて前記第１および第２のアンテナを用いて送信される信号のタイミングを調整することを含む、Ｃ４０に記載の方法。
[Ｃ４４]
前記適応させることが、ＵＥごとに特定の送信方式を選択することを含む、Ｃ４０に記載の方法。
[Ｃ４５]
前記選択することが、
前記時間オフセットが前記所定のしきい値を下回る場合、多地点協調（ＣｏＭＰ）送信を有効にすることと、
前記時間オフセットが前記所定のしきい値を上回る場合、ＣｏＭＰ送信を無効にすることと
のうちの１つを含む、Ｃ４４に記載の方法。
[Ｃ４６]
前記適応させることが、前記時間オフセットに関する前記情報に基づいて基地局のＣｏＭＰセットを定義することを含む、Ｃ４０に記載の方法。
[Ｃ４７]
基地局の前記ＣｏＭＰセットが、ＣｏＭＰ測定セットと、ＣｏＭＰ送信セットと、ＣｏＭＰ協働セットとのうちの１つを含む、Ｃ４６に記載の方法。
[Ｃ４８]
前記時間オフセットに関する前記情報を報告することを求める要求をＵＥに送信することをさらに含む、Ｃ４０に記載の方法。
[Ｃ４９]
複数の送信アンテナ間の時間オフセットに関する情報を受信するための手段であって、前記情報が、前記時間オフセットを所定のしきい値を上回るか、または下回ると見なす情報を含む、受信するための手段と、
前記時間オフセットを考慮するように送信を適応させるための手段と
を備える、ワイヤレス通信のための装置。
[Ｃ５０]
適応させるための前記手段が、送信機においてプリコーダ位相回転を適用するための手段を含む、Ｃ４９に記載の装置。
[Ｃ５１]
適応させるための前記手段が、ＵＥごとにユーザ機器固有基準信号（ＵＥ−ＲＳ）のタイミングを調節するための手段を含む、Ｃ４９に記載の装置。
[Ｃ５２]
受信するための前記手段が、複数のＵＥから複数の時間オフセット報告を受信するための手段を含み、
適応させるための前記手段が、前記複数の時間オフセット報告に基づいて前記第１および第２のアンテナを用いて送信される信号のタイミングを調整するための手段を含む、Ｃ４９に記載の装置。
[Ｃ５３]
適応させるための前記手段が、ＵＥごとに特定の送信方式を選択するための手段を含む、Ｃ４９に記載の装置。
[Ｃ５４]
選択するための前記手段が、
前記時間オフセットが前記所定のしきい値を下回る場合、多地点協調（ＣｏＭＰ）送信を有効にするための手段と、
前記時間オフセットが前記所定のしきい値を上回る場合、ＣｏＭＰ送信を無効にするための手段と
のうちの１つを含む、Ｃ５２に記載の装置。
[Ｃ５５]
適応させるための前記手段が、前記時間オフセットに関する前記情報に基づいて基地局のＣｏＭＰセットを定義するための手段を含む、Ｃ４９に記載の装置。
[Ｃ５６]
基地局の前記ＣｏＭＰセットが、ＣｏＭＰ測定セットと、ＣｏＭＰ送信セットと、ＣｏＭＰ協働セットとのうちの１つを含む、Ｃ５５に記載の装置。
[Ｃ５７]
前記時間オフセットに関する前記情報を報告することを求める要求をＵＥに送信するための手段をさらに含む、Ｃ４９に記載の装置。
[Ｃ５８]
プログラムコードを記録した非一時的コンピュータ可読媒体を備える、ワイヤレス通信のためのコンピュータプログラム製品であって、前記プログラムコードは、
複数の送信アンテナ間の時間オフセットに関する情報を受信するためのプログラムコードであって、前記情報が、前記時間オフセットを所定のしきい値を上回るか、または下回ると見なす情報を含む、受信するためのプログラムコードと、
前記時間オフセットを考慮するように送信を適応させるためのプログラムコードと
を備える、ワイヤレス通信のためのコンピュータプログラム製品。
[Ｃ５９]
少なくとも１つのプロセッサと、
前記少なくとも１つのプロセッサに結合されたメモリと
を備える、ワイヤレス通信のために構成された装置であって、前記少なくとも１つのプロセッサは、
複数の送信アンテナ間の時間オフセットに関する情報を受信することであって、前記情報が、前記時間オフセットを所定のしきい値を上回るか、または下回ると見なす情報を含む、受信することと、
前記時間オフセットを考慮するように送信を適応させることと
を行うように構成された、ワイヤレス通信のために構成された装置。